(57)【要約】【課題】交差点に差し掛かったとき、方位を示す表示体は存在しない。方位を知るためには、方位磁石などを携えねばならない。また、地図には、言語の異なるものも存在する。機械的ナビゲーションは、エネルギーを消費する。また壊れた場合、位置を知る手段がなくなる。【解決手段】道路表示に方位を示す表示があれば、解消される。具体的に、地球における自然の法則を利用する。北方位を利用し、表示体を設置する。交差点内に設置することによって、ひとつの表示体により、各方面からの概ね自分の目指している方位が、判別できるものである。【選択図】図６
2010070968.tif 000002
【特許請求の範囲】
【請求項１】
道路交差点の道路面に描画される道路表示体であって当該地点における北方位の判別できる交差点の道路表示体の表示方法。
【請求項２】
請求項１に記載の道路表示体を描画してなる道路表示体。
【請求項３】
請求項１と既存の道路表示体の配置の兼ね合いによる場合に既存表示体の北方位に配置された表示体の表示方法。
【発明の詳細な説明】
【技術分野】
【０００１】
この発明は、現在地から目的地の方角を判りやすく直感的に把握するとともに、言語相違による意思伝達不能を無くす表示方法を有した表示体に関するものである。
【背景技術】
【０００２】
従来、方位というものは目に見えるものでなく、地球の発生する磁気の流れによって発生する磁力を磁場として、方位磁石などによって、方位を示す方法が専ら使用されている。
【０００３】
進む方向は、交差点手前に表示した案内板、観光案内地図が、各方面に設置してある場合もある。
【０００４】
交差点中心に、右折用に既に表示体が存在する場合もある。
【０００５】
方位、進行方向を同時に知る手段としては、カーナビゲーションや、携帯電話による機械的なナビゲーションが存在する。例えば特開２００２−５８０５７号公報などに記載されるなど、機械的な表示であるため壊れる場合もある。大震災などの場合、通信環境やエネルギー不足による使用不能状態もありうる。
【特許文献１】特開２００２−５８０５７号公報
【発明の開示】
【発明が解決しようとする課題】
【０００６】
これには以下のような不便がある。
方位磁石を携帯していない場合、方位が判らない。
交差点手前に設置してある案内板を見落とし、交差点に進入した場合、進路を誤る。
誤りに気づいたあと、同じ交差点に進入した場合、目的地の方角の判断を誤り、再び進路を誤る。
言語の異なる地図を持った者が、誤った交差点に戻った場合、頼りにする方角が判らない為、現在地に至っても目指す方向が判らない。
機械的ナビゲーションが壊れた場合、また、持っていない場合、方位が判らない
交差点手前、各方面に案内板を設置しなければならない。
【課題を解決するための手段】
【０００７】
以上の課題を解決するための手段として、道路交差点の道路面に描画される道路表示体であって当該地点における北方位を示す道路表示体を設置する。これにより、方位磁石を携帯せずとも表示体を見ることにより判別できる。
【０００８】
道路交差点の道路面に描画される道路表示体であって当該地点における北方位を示す道路表示体を新たに設置することにより、既存の表示を廃止することなく道路中央より「北」を表示することができる。
【発明の効果】
【０００９】
これには、以下のような効果がある。
方位磁石を携帯せずとも方位が判別できる。
方角が判る表示体であるため誤った方角に進んでいる方向が判別できる。
誤りに気づき交差点に戻ってきた場合に方位を知ることにより、利用者の目指す進路が明確になる。
言語の異なる地図を持っていた場合においても、方位が判れば、地図の向きを合わせる事ができる。遠くの目標物を尋ね、向きを合わせることが不要となり判別できる。
機械的ナビゲーション機能が壊れた場合、また、ナビゲーションを持っていない場合でも、方位が判別できる。
交差点に設置する事により、いずれの方向より見た場合、1つの表示体の設置で各方向の利用者が判別できる。
【発明を実施するための最良の形態】
【００１０】
この発明形態を、図１〜図１５に示す。既存道路表示のない場合においては、交差点内において中心部分に図１〜４の２、及び図１４の２ａに示す新たに表示を設置することによって示すことができる。図１は、道路交差点が南北と東西が交差した交差点である。その場合、２の示す表示を交差点中央に配置し表示することによって方位を判別することが可能となる。
【００１１】
図２においては、実際の交差点に２を配置したペイントを施した図を示す。
【００１２】
図３においては、北方位とは少し角度が生じた場合の表示方法を示す。角度を有する場合、交差点中心に表示された図１４の２ａの様な北方位を示す表示によって、地図と照らし合わせることが出来、交差点手前より、確認が可能である。
【００１３】
図４においては、図３より傾きを有する場合の表示例である。
【００１４】
図１〜図４において表示できない場合も存在する。既に道路表示体が交差点中央部分に、道路中央を表す標示が表示されている場合がある。この場合において、図５〜図１３の２、及び１５の２ｂに示す表示を、既存表示の北方に新たに付加することによって、方位を示すことが可能となる。
【００１５】
図５において、既存道路表示が存在する場合を示し、その場合の道路表示北部分に、北方位を示す、図１５の２ｂの表示体を配置し表示する。
【００１６】
図６は、図５のときの、ペイントを施した場合を示す。
【００１７】
図７は、北方位とは少し角度が生じた場合の既存道路中央の表示の存在する場合の表示方法を示したものである。
【００１８】
図８は、図７より傾きの生じた場合の既存道路中央の表示の存在する場合の表示方法を示したものである。
【００１９】
図９は、図８より傾きの生じた場合の既存道路中央の表示の存在する場合の表示方法を示したものである。
【００２０】
図１０は、図９より傾きの生じた場合の既存道路中央の表示の表示の存在する場合の表示方法を示したものである。
【００２１】
図１１は、三叉路の場合において、東西に通る道路に対し、北方向から交わる場合の既存道路中央の表示の存在する場合の表示方法を示したものである。
【００２２】
図１２は、三叉路の場合において、東西に通る道路に対し、南方向から交わる場合の既存道路中央の表示の存在する場合の表示方法を示したものである。
【００２３】
図１３は、三叉路の場合において、角度を有する場合で、既存道路中央の表示の存在する場合の表示方法を示したものである。
【００２４】
図１４は、図１〜図４の２に表示する表示体を２ａとして示したものである。南北に地球の軸を示し線で描画する、地図で示す「北」を正とし、北に「Ｎ」の表示を施す。また道路面に表示するため各方面より認識できる必要があるため、北に道路標示に使用される進路方向を示す矢印とは異なる三角表示を示し描画する。また、道路中央を示す部分は、南北と直交する線を、南北の線より短く東西に描画するものである。表示サイズなどは、道路幅、道路にあるマンホール、その他障害物などにより表示できない場合もあるため特に定めないものとする。
【００２５】
図１５は、図５〜図１３の２に表示する表示体２ｂとして表示したものである。道路中央部分に既存の表示が存在しているのでその表示体の中心を中心とし、地図で示す「北」を正とし、図５〜図１３の３の既存表示体中心の鉛直線上に、円形の丸印の中に「Ｎ」を表示するものである。路面に既存矢印表示、マンホール、その他障害物などにより表示できない場合もあるため、鉛直線上に表示する事とする。また、表示サイズは図５〜図１３の３の既存道路中央の表示より小さくし、出来る限り接近させる事で、中心との位置関係を関連させた表示とする。
【００２６】
図１５の２ｂを矢印などの方向性を示す形状にしないのは、道路中央より、限定された方向への矢印標示が付加されている交差点も存在するため、矢印と間違えるような表示は極力避ける為である。図１５の２ｂを楕円、図１６の２ｃに示すように星型などの形状で示して「Ｎ」を表示をしてもよい。
【図面の簡単な説明】
【００２７】
【図１】東西南北の交差点中心に表示体を設置した図
【図２】図１の表示体路面描画図
【図３】東西南北とやや傾きを有する交差点に表示体を設置した図
【図４】図３より更に傾きを有する交差点に表示体を設置した図
【図５】東西南北の交差点中心に既存表示体がある場合に表示体を設置した図
【図６】図５の表示体路面描画図
【図７】東西南北とやや傾きを有する交差点に既存表示体がある場合に表示体を設置した図
【図８】図７より更に傾きを有する交差点に既存表示体がある場合に表示体を設置した図
【図９】図８より更に傾きを有する交差点に既存表示体がある場合に表示体を設置した図
【図１０】図９より更に傾きを有する交差点に既存表示体がある場合に表示体を設置した図
【図１１】東西北の三叉路の既存表示体のある場合に表示体を設置した図
【図１２】東西南の三叉路の既存表示体のある場合に表示体を設置した図
【図１３】三叉路が傾きを有する既存表示体のある場合に表示体を設置した図
【図１４】交差点中央に設置する方位を示す表示体を示す具体的な図
【図１５】交差点中央に既存表示の存在する場合の付加する表示体の具体的な図
【図１６】交差点中央に既存表示の存在する場合の付加する表示体の具体的な図
【符号の説明】
【００２８】
１  方位
２  表示体
２ａ表示体（新規表示に付加するもの）
２ｂ表示体（既存表示に付加するもの）
２ｃ表示体（既存表示に付加するもの）
３  既存表示体
【図１】
2010070968.tif 000003
【図２】
2010070968.tif 000004
【図３】
2010070968.tif 000005
【図４】
2010070968.tif 000006
【図５】
2010070968.tif 000007
【図６】
2010070968.tif 000008
【図７】
2010070968.tif 000009
【図８】
2010070968.tif 000010
【図９】
2010070968.tif 000011
【図１０】
2010070968.tif 000012
【図１１】
2010070968.tif 000013
【図１２】
2010070968.tif 000014
【図１３】
2010070968.tif 000015
【図１４】
2010070968.tif 000016
【図１５】
2010070968.tif 000017
【図１６】
2010070968.tif 000018